(57)【要約】【課題】鍵を管理する手間を省くことができる金銭処理装置を提供することである。【解決手段】実施形態の金銭処理装置は、貨幣を収納する収納庫と、前記収納庫を開錠または施錠するロック機構と、指示受付手段と、読込手段と、ロック制御手段とを備える。指示受付手段は、販売データ処理装置から前記ロック機構の開錠を伴う業務にかかる指示を受付ける。読込手段は、前記販売データ処理装置から、当該販売データ処理装置にログインしているオペレータのランクを示すランク情報を読み込む。ロック制御手段は、前記読込手段が読み込んだ前記ランク情報が、前記ロック機構を開錠することができるランクを示すランク情報であれば、前記業務において開錠すべき箇所のロック機構を開錠し、前記読込手段が読み込んだ前記ランク情報が、前記ロック機構を開錠することができるランクのランク情報でなければ、前記ロック機構を開錠しない。【選択図】図６
2018018532.tif 000002
【特許請求の範囲】
【請求項１】
貨幣を収納する収納庫と、
前記収納庫を開錠または施錠するロック機構と、
自装置と接続された販売データ処理装置から、前記ロック機構の開錠を伴う業務にかかる指示を受付ける指示受付手段と、
前記販売データ処理装置から、当該販売データ処理装置にログインしているオペレータのランクを示すランク情報を読み込む読込手段と、
前記読込手段が読み込んだ前記ランク情報が、前記ロック機構を開錠することができるランクを示すランク情報であれば、前記業務において開錠すべき箇所のロック機構を開錠し、前記読込手段が読み込んだ前記ランク情報が、前記ロック機構を開錠することができるランクのランク情報でなければ、前記ロック機構を開錠しない、ロック制御手段と、
を備えた金銭処理装置。
【請求項２】
前記指示受付手段は、前記収納庫内の貨幣を回収するための回収指示を受付けて、
前記読込手段は、前記回収指示の受付時に、前記販売データ処理装置にログインしているオペレータの前記ランク情報を読み込み、
前記ロック制御手段は、前記読込手段が読み込んだ前記ランク情報が前記収納庫を開錠することができるランクのランク情報であれば、前記ロック機構を開錠して前記収納庫内の貨幣を回収可能とする、請求項１に記載の金銭処理装置。
【請求項３】
貨幣詰まりを検出した際に、貨幣詰まりを検出した箇所、または、複数の前記ロック機構のうち貨幣詰まりを解消するために開錠対象とする前記ロック機構の箇所を前記販売データ処理装置に通知する通知手段と、
前記販売データ処理装置から、前記通知手段による通知内容に基づいて開錠対象とされた前記ロック機構の開錠指示を受付ける開錠指示受付手段と、を更に備え、
前記読込手段は、前記開錠指示の受付時に、前記販売データ処理装置にログインしているオペレータの前記ランク情報を読み込み、
前記ロック制御手段は、前記読込手段が読み込んだ前記ランク情報が、開錠対象の前記ロック機構を開錠することができるランクのランク情報であれば、前記開錠対象のロック機構を開錠して、貨幣詰まりを解消する作業を可能とする、請求項１または２に記載の金銭処理装置。
【請求項４】
前記収納庫を多段階に施錠する複数のロック機構を備え、
前記ロック制御手段は、前記読込手段が読み込んだ前記ランク情報が、前記複数のロック機構のうち前記収納庫から遠い側のロック機構を開錠できるが、前記収納庫に近い側のロック機構を開錠できないランクのランク情報であれば、前記収納庫に近い側のロック機構は開錠せず、前記収納庫から遠い側のロック機構を開錠する、請求項１ないし３のいずれか１つに記載の金銭処理装置。
【請求項５】
前記販売データ処理装置から前記ロック機構の開錠を伴う業務にかかる指示を受付けると、当該指示にかかる情報をログに記録するログ記録手段を更に備えた、請求項１ないし４のいずれか１つに記載の金銭処理装置。
【発明の詳細な説明】
【技術分野】
【０００１】
本発明の実施形態は、金銭処理装置に関する。
【背景技術】
【０００２】
従来、店舗での会計処理では、ＰＯＳ（Point  Of  Sales）端末等の販売データ処理装置に、自動釣銭機等の金銭処理装置を接続した入出金システムが広く利用されている。このような金銭処理装置は、内部の収納庫に収納した貨幣に容易にアクセスできないようにロック機構を備え、専用の鍵を用いて開錠する仕組みとなっていることが多い。そして、貨幣の回収時や、貨幣詰まりが発生した際等には、ロック解除できる権限を有する店員が鍵を用いてロックを開錠し、回収作業を行ったり、貨幣詰まりを解消したりする。
【０００３】
ところで、鍵の管理には注意を要し、万一鍵を紛失した場合にはセキュリティ確保が難しいという課題がある。そこで従来、セキュリティを確保しつつも、鍵を管理する手間を省くことができるロック機構の開発が望まれていた。
【発明の概要】
【発明が解決しようとする課題】
【０００４】
本発明が解決しようとする課題は、鍵を管理する手間を省くことができる金銭処理装置を提供することである。
【課題を解決するための手段】
【０００５】
実施形態の金銭処理装置は、貨幣を収納する収納庫と、前記収納庫を開錠または施錠するロック機構と、指示受付手段と、読込手段と、ロック制御手段とを備える。指示受付手段は、自装置と接続された販売データ処理装置から、前記ロック機構の開錠を伴う業務にかかる指示を受付ける。読込手段は、前記販売データ処理装置から、当該販売データ処理装置にログインしているオペレータのランクを示すランク情報を読み込む。ロック制御手段は、前記読込手段が読み込んだ前記ランク情報が、前記ロック機構を開錠することができるランクを示すランク情報であれば、前記業務において開錠すべき箇所のロック機構を開錠し、前記読込手段が読み込んだ前記ランク情報が、前記ロック機構を開錠することができるランクのランク情報でなければ、前記ロック機構を開錠しない。
【図面の簡単な説明】
【０００６】
【図１】図１は、実施形態にかかる入出金システムの外観斜視図である。
【図２】図２は、釣銭機の各部の電気的接続例を示すブロック図である。
【図３】図３は、釣銭機の機能構成例を示すブロック図である。
【図４】図４は、ＰＯＳ端末の機能構成例を示すブロック図である。
【図５】図５は、入出金システムが実行する商品登録処理の手順例を示すフローチャートである。
【図６】図６は、入出金システムが実行する貨幣回収処理の手順例を示すフローチャートである。
【図７】図７は、入出金システムが実行する貨幣回収処理の手順例を示すフローチャートである。
【図８】図８は、入出金システムが実行する貨幣詰まり解消処理の手順例を示すフローチャートである。
【発明を実施するための形態】
【０００７】
図１は、実施形態にかかる入出金システム１００の外観斜視図である。入出金システム１００は、釣銭機１と、ＰＯＳ端末２とを備えている。
【０００８】
ＰＯＳ端末２は、客が購入する商品の商品情報に基づいて、売上データ（販売データ）を登録する販売データ処理装置である。図１に示すように、ＰＯＳ端末２は制御部４０（図４参照）を内蔵した筐体２０を備える。筐体２０の上部にはキーボード２５が設けられている。また、ＰＯＳ端末２は、筐体２０の上部でキーボード２５より奥側に、表面にタッチパネル２８を配設した店員用表示器２７を備えている。さらに店員用表示器２７の上方には、筐体２０の上面から突出して、客用表示器２９が設けられている。また、ＰＯＳ端末２は、店員用表示器２７の左隣に、レシートやジャーナルを印字するためのプリンタ２１を備えている。また、ＰＯＳ端末２には、レーザ式のハンドスキャナ、あるいは、光学読取式の縦型スキャナ等のスキャナ２６（図４参照）が接続されて用いられる。
【０００９】
ＰＯＳ端末２は、スキャナ２６が読み取った情報と、商品マスタ６３（図４参照）とに基づいて売上商品の商品情報を読み込む。そしてＰＯＳ端末２は、売上個数や売上金額や値引率等に基づいて小計および合計金額等を含む売上データを生成し、売上ファイル６４（図４参照）に登録する。また、店員がキーボード２５で客からの預り金額を入力すると、ＰＯＳ端末２は売上合計金額から預り金額を差し引いて釣り金額を算出し、この釣り金額を出金するよう釣銭機１に出金指示（出金コマンド）を出力する。また、ＰＯＳ端末２は、売上合計金額、釣り金額を店員用表示器２７、客用表示器２９に表示する。尚、客からの預り金額の入力については、釣銭機１が計数した入金額をＰＯＳ端末２に通知し、ＰＯＳ端末２がこの入金額に基づいて釣り金額を算出してもよい。
【００１０】
釣銭機１は、客からの預り金などを金種別に収納し、入金額をＰＯＳ端末２に通知する入金処理を行う。また、釣銭機１は、ＰＯＳ端末２から釣銭の出金指示を受けると、金種ごとの出金枚数を決定し、各金種の紙幣または硬貨を出金する出金処理を行う。
【００１１】
図１に示すように釣銭機１は、紙幣釣銭機１１０と、硬貨釣銭機１２０とを備えている。尚、釣銭機１は紙幣釣銭機１１０、または硬貨釣銭機１２０のいずれか一方を備える構成でもよい。
【００１２】
加えて、釣銭機１はコイントレー１３０を備えている。尚、コイントレー１３０はオプション品であり、釣銭機１に必須の構成ではない。コイントレー１３０は、コイントレー１３０を収納する筐体１３９に対して引き出し可能に設けられている。コイントレー１３０は、トレー内部に棒金や商品券を収納しておくための収納部である。コイントレー１３０は、図示しないロック機構により筐体１３９から引き出せないようにロックされている。また、コイントレー１３０は、当該ロック機構が開錠状態となると、筐体１３９の手前側に引き出して内部の棒金や商品券を出し入れすることができる。コイントレー１３０のロック機構の構成としては、後述するロック機構１１６ａ、１１６ｂ等と同様、メカニカルロックタイプの電磁ロックを用いることができる。
【００１３】
紙幣釣銭機１１０は、その筐体１９の上面にディスプレイ１１と、操作部１２と、入金口１３と、出金口１４とを備えている。ディスプレイ１１は、動作モード、エラー通知などの情報を表示する。操作部１２は、動作モードを選択するための操作ボタンや、エラー通知を解除するための操作ボタン等を備えている。
【００１４】
また、紙幣釣銭機１１０の前面パネル１９ａは、筐体１９に対して取り外し可能に設けられており、通常は筐体１９から取り外せないようロック機構１１６ａ（図２参照）により施錠されている。紙幣釣銭機１１０において紙幣詰まり等が発生した際には、ロック機構１１６ａを開錠し、前面パネル１９ａを取り外して紙幣詰まりを解消する作業を行う。
【００１５】
また、紙幣釣銭機１１０は、筐体１９内部の紙幣を外部に露出せずに回収するための回収ボックス７１を備えている。筐体１９には回収ボックス７１を収納するための収納部（不図示）が設けられており、通常、回収ボックス７１は収納部に嵌め込まれて用いられる。また、回収ボックス７１は、筐体１９に対して取り外し可能に設けられているが、通常は、筐体１９から引き出せないようにロック機構１１６ｂ（図２参照）により施錠されている。また、回収ボックス７１は、ロック機構１１６ｂが開錠状態となると、筐体１９から取り外して持ち運べるようになっている。尚、回収処理の手順については、図６および図７において説明する。
【００１６】
硬貨釣銭機１２０は、その筐体３９の上面にディスプレイ１５と、操作部１６とを備えている。筐体３９の上面の右手前端部には、複数枚の硬貨を一度に投入できる入金口１７が設けられている。筐体３９の左手前端部には、硬貨を装置内から出金する出金口１８が設けられている。また、筐体３９の前面パネル３９ａは、筐体３９に対して取り外し可能に設けられており、通常は筐体３９から取り外せないようロック機構１２６ａ（図２参照）により施錠されている。硬貨釣銭機１２０において硬貨詰まり等が発生した際には、ロック機構１２６ａを開錠し、前面パネル３９ａを取り外して硬貨詰まりを解消する作業を行う。
【００１７】
また、出金口１８の下方の筐体３９は、筐体３９に対して手前側に引き出すことができるスライド部７２を備えている。スライド部７２は、ロック機構１２６ｂ（図２参照）が施錠状態にあれば、筐体３９から引き出せないようにロックされている。また、スライド部７２は、ロック機構１２６ｂが開錠状態となると、筐体３９から引き出すことができる。筐体３９から引き出されたスライド部７２には、硬貨釣銭機１２０の内部に収納されている硬貨を回収するための回収袋をセットすることができる。硬貨の回収作業を行う店員（例えば、店長などの権限を有する店員）は、回収袋を用いて硬貨釣銭機１２０内の硬貨を一気に回収することができる。
【００１８】
次に、紙幣釣銭機１１０の筐体１９内部に設けられた構成、硬貨釣銭機１２０の筐体３９内部に設けられた構成、および各部の電気的接続例について図２を用いて説明する。
【００１９】
図２は、釣銭機１の各部の電気的接続例を示すブロック図である。紙幣釣銭機１１０は、制御部として機能するＣＰＵ３１、ＲＯＭ３２、ＲＡＭ３３を備えている。ＲＯＭ３２は、本実施形態の釣銭機１が実行するプログラムを格納している。ＲＡＭ３３は、その一部に、釣銭機１の電源を切っても記憶内容が消失しない不揮発性メモリ領域を備えている。
【００２０】
図２に示すように、紙幣釣銭機１１０のＣＰＵ３１はバスラインにより、ディスプレイ１１、操作部１２、通信Ｉ／Ｆ（Interface）３６、接続Ｉ／Ｆ３７に接続されている。また、ＣＰＵ３１はバスラインにより、入金センサ１３１、識別センサ１３２、収納センサ１３３、払出センサ１３４、出金センサ１３５等の各種センサに接続されている。また、ＣＰＵ３１はバスラインにより、入金機構１１１、選別機構１１２、紙幣収納部１１３、払出機構１１４、出金機構１１５、ロック機構１１６ａ、１１６ｂに接続されている。通信Ｉ／Ｆ３６は、ＰＯＳ端末２と接続するためのインタフェースである。接続Ｉ／Ｆ３７は硬貨釣銭機１２０と接続するためのインタフェースである。
【００２１】
入金センサ１３１は、入金口１３（図１参照）に差し込まれた紙幣を検出する。入金機構１１１は、入金センサ１３１が紙幣を検出すると、入金口１３に差し込まれた紙幣を筐体１９内部の紙幣搬入経路に取り込む機構である。
【００２２】
識別センサ１３２は、紙幣搬入経路に取り込まれた紙幣の金種や正偽を識別し、紙幣以外の異物を検出する。選別機構１１２は、識別センサ１３２の識別結果に応じて、偽貨を選別してリジェクト部（不図示）に排出する。また、選別機構１１２は、識別センサ１３２の識別結果に応じて、正貨を金種別に選別し、金種ごとの収納庫に収納する機構である。
【００２３】
紙幣収納部１１３は、金種別の収納庫を備えている。収納センサ１３３は、紙幣収納部１１３に設けられた金種ごとの収納庫に収納される紙幣を検出し、金種ごとの入金枚数を計上する。選別機構１１２により選別された各金種の紙幣は、該当する金種用の収納庫に収納される。
【００２４】
払出機構１１４は、操作部１２またはＰＯＳ端末２から受けた出金指示（出金コマンド）に応じて、紙幣収納部１１３から必要な金種の紙幣を必要枚数分だけ払い出し、筐体１９内部に設けられた紙幣搬出経路に搬出する機構である。払出センサ１３４は、紙幣収納部１１３に設けられた金種ごとの収納庫が払い出す紙幣を検出し、金種ごとの払出枚数を計上する。
【００２５】
出金機構１１５は、紙幣搬出経路の終端、すなわち、出金口１４近傍に設けられている。出金機構１１５は、紙幣搬出経路により出金口１４に向けて送り出されてきた紙幣を重ねて、出金口１４に送り出す機構である。出金センサ１３５は、出金口１４に設けられ、出金口１４に払い出された紙幣の取り残しを検出する。
【００２６】
ロック機構１１６ａは、前面パネル１９ａを筐体１９にロックし、筐体１９内の紙幣を不正に取り出せないように施錠するための機構である。
【００２７】
ロック機構１１６ｂは、回収ボックス７１を筐体１９に設けられた回収ボックス７１の収納部（不図示）にロックし、回収ボックス７１を不正に抜き取れないように施錠するための機構である。
【００２８】
ロック機構１１６ａ、１１６ｂとしては、例えばメカニカルロックタイプ（スプリングロック）の電磁ロックを用いることができる。ロック機構１１６ａ、１１６ｂは、ロックピンとピン固定機構、ロックピンを往復駆動するソレノイド等を備えている。前面パネル１９ａあるいは回収ボックス７１が筐体１９に嵌め込まれると、ロックピンがピン固定機構に嵌って自動的に施錠状態となる。また、ソレノイドに通電すると、ロックピンがピン固定機構から離間する方向に駆動されてロックピンがピン固定機構から外れ、開錠状態となる。
【００２９】
このようにロック機構１１６ａ、１１６ｂは、前面パネル１９ａまたは回収ボックス７１が収納されると自動的にロックが掛かり、開錠時に限って電力を使用する。従って、電源遮断時には施錠状態が保たれ、安全性を確保することができる。
【００３０】
また、回収ボックス７１の収納部は圧縮バネ等の弾性体を備えている。ロックピンが外れると、その弾性により回収ボックス７１は筐体１９の外部に向かって押し出される。オペレータは筐体１９の手前側に突出した回収ボックス７１を把持して筐体１９から抜き取り、店舗のバックヤードへ持ち運ぶことができる。
【００３１】
紙幣釣銭機１１０の接続Ｉ／Ｆ３７は、硬貨釣銭機１２０の接続Ｉ／Ｆ３８と接続されている。紙幣釣銭機１１０のＣＰＵ３１は、接続Ｉ／Ｆ３７、接続Ｉ／Ｆ３８および各種バスラインを介して、硬貨釣銭機１２０の各部と接続し、これら各部の動作を制御する。
【００３２】
ＣＰＵ３１は、硬貨釣銭機１２０のディスプレイ１５、操作部１６に接続されている。また、ＣＰＵ３１は、入金センサ１４１、識別センサ１４２、収納センサ１４３、払出センサ１４４、出金センサ１４５等の各種センサに接続されている。また、ＣＰＵ３１は、入金機構１２１、選別機構１２２、硬貨収納部１２３、払出機構１２４、出金機構１２５、ロック機構１２６ａ、１２６ｂに接続されている。
【００３３】
入金センサ１４１は、入金口１７に投入された硬貨を検出する。入金機構１２１は、入金センサ１４１が硬貨を検出すると、入金口１７に投入された硬貨を筐体３９内部の硬貨搬入経路に取り込む機構である。
【００３４】
識別センサ１４２は、入金された硬貨の金種や、硬貨の正偽を識別し、硬貨以外の異物を検出する。選別機構１２２は、識別センサ１４２の識別結果に応じて、偽貨を選別してリジェクト部（不図示）に排出する。また、選別機構１２２は、正貨については金種別に選別して、金種ごとの収納庫に収納する機構である。
【００３５】
硬貨収納部１２３は、金種別の収納庫を備えている。収納センサ１４３は、硬貨収納部１２３に設けられた金種ごとの収納庫に収納される硬貨を検出し、金種ごとの入金枚数を計上する。選別機構１２２により選別された各金種の硬貨は、該当する金種用の収納庫に収納される。
【００３６】
払出機構１２４は、操作部１６またはＰＯＳ端末２から受けた出金指示（出金コマンド）に応じて、硬貨収納部１２３から必要な金種の硬貨を必要枚数分だけ払い出し、筐体３９内部に設けられた硬貨搬出経路に搬出する機構である。払出センサ１４４は、硬貨収納部１２３に設けられた金種ごとの収納庫が払い出す硬貨を検出し、金種ごとの払出枚数をカウントする。
【００３７】
出金機構１２５は、硬貨搬出経路の終端、すなわち、出金口１８近傍に設けられている。出金機構１２５は、硬貨搬出経路により出金口１８に向けて送り出されてきた硬貨をまとめて出金口１８に送り出す機構である。出金センサ１４５は、出金口１８に設けられ、出金口１８に払い出された硬貨の取り残しを検出する。
【００３８】
ロック機構１２６ａは、前面パネル３９ａを筐体３９にロックし、筐体３９内の硬貨を不正に取り出せないように施錠するための機構である。
【００３９】
ロック機構１２６ｂは、スライド部７２を筐体３９に設けられたスライド部７２の収納部（不図示）にロックし、筐体３９から引き出せないように施錠するための機構である。
【００４０】
ロック機構１２６ａ、１２６ｂとしては、ロック機構１１６ａ、１１６ｂと同様に、メカニカルロックタイプの電磁ロックを用いることができる。ロック機構１２６ａ、１２６ｂの構成および動作は、上述したロック機構１１６ａ、１１６ｂと同様である。
【００４１】
例えば、スライド部７２が筐体３９の収納部に嵌め込まれると、ロック機構１２６ｂは自動的に施錠状態となる。また、ロック機構１２６ｂのソレノイドに通電すると、ロック機構１２６ｂは開錠状態となり、筐体３９の収納部が有する圧縮バネの弾性によりスライド部７２が外部に押し出される。オペレータは、筐体３９の手前側に突出したスライド部７２を収納部から完全に引き出して、硬貨回収用の袋をセットすればよい。なお、圧縮バネによる自動押し出し機構は必須ではなく、開錠した後、オペレータが手動でスライド部７２を引き出す構成でもよい。
【００４２】
尚、図２では、紙幣釣銭機１１０が制御部として機能するＣＰＵ３１、ＲＯＭ３２、ＲＡＭ３３を備えて、硬貨釣銭機１２０を制御する構成とした。但し、制御部の構成はこれに限定されない。例えば、硬貨釣銭機１２０に制御部を設け、硬貨釣銭機１２０と紙幣釣銭機１１０とを制御する構成でもよい。あるいは、紙幣釣銭機１１０、硬貨釣銭機１２０のそれぞれに制御部を設け、各制御部が各ユニットの動作をそれぞれ制御してもよい。
【００４３】
次に、釣銭機１が実行するプログラムと、このプログラムにより実現される釣銭機１の機能構成について説明する。
【００４４】
図３は、釣銭機１の機能構成例を示すブロック図である。図３に示すように、釣銭機１が実行するプログラムは、入力受付部５１、ランク読込部５２、入金制御部５３、出金制御部５４、ロック制御部５５、エラー出力部５６、ログ記録部５７を含むモジュール構成となっている。実際のハードウェアとしてはＣＰＵ３１（プロセッサ）がＲＯＭ３２からプログラムを読み出して実行することにより、上記各部を主記憶装置上にロードして各部の機能を実現する。
【００４５】
尚、図３では、本実施形態の釣銭機１が実行するプログラムが、ＲＯＭ３２等に予め組み込まれて提供されるとした。尚、本実施形態の釣銭機１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００４６】
さらに、本実施形態の釣銭機１で実行されるプログラムを、インターネット等のネットワークに接続されたコンピュータ上に格納し、ネットワーク経由でダウンロードさせることにより提供するように構成しても良い。また、本実施形態の釣銭機１で実行されるプログラムをインターネット等のネットワーク経由で提供または配布するように構成しても良い。
【００４７】
入力受付部５１は、紙幣釣銭機１１０の操作部１２、および、硬貨釣銭機１２０の操作部１６（ともに図１参照）に対する操作を受付ける。また、入力受付部５１は、ＰＯＳ端末２から、釣銭機１が有するロック機構の開錠を伴う業務にかかる指示を受付ける。指示の例としては、貨幣の回収指示、貨幣詰まり解消作業のためのロック開錠の指示などであえる。
【００４８】
ランク読込部５２は、ＰＯＳ端末２のログイン情報格納部６２（図４参照）から、ＰＯＳ端末２にログインしているオペレータのランクを示したランク情報を読み込む。以下では、ランク情報として、
ロック機構１１６ａ、１１６ｂ、１２６ａ、１２６ｂをそれぞれ開錠できるオペレータについては「１」、
ロック機構１１６ａ、１１６ｂ、１２６ａ、１２６ｂのいずれも開錠することができないオペレータについては「２」、
と設定する場合について説明する。
【００４９】
入金制御部５３は、紙幣収納部１１３または硬貨収納部１２３への入金動作を制御する。例えば、入金制御部５３は、収納センサ１３３、１４３がカウントした金種ごとの入金枚数に基づいて、入金合計額を算出する。そして、入金制御部５３は、入金合計額をＰＯＳ端末２に通知する。
【００５０】
出金制御部５４は、紙幣収納部１１３または硬貨収納部１２３からの出金動作を制御する。例えば、出金制御部５４は、ＰＯＳ端末２から受信した釣り金額分の出金コマンド、または、自装置の操作部１２、１６から入力された出金額に基づいて、各金種の出金枚数を決定する。そして、出金制御部５４は、出金機構１１５、１２５に各金種の出金枚数を指示する。出金機構１１５は、出金指示に基づいて各金種の紙幣を出金口１４に送り出す。出金機構１２５は、出金指示に基づいて各金種の硬貨を出金口１８に送り出す。
【００５１】
ロック制御部５５は、入力受付部５１が受付けた指示内容と、ランク読込部５２が読み込んだランク情報とに応じて、開錠対象のロック機構を開錠する。開錠対象のロック機構は、入力受付部５１が受付けた指示内容、即ち、指示された業務の種類によって異なる。ロック制御部５５は、指示された業務において開錠すべき箇所のロック機構を開錠対象とする。例えば、紙幣の回収指示を受付けた際には、紙幣釣銭機１１０の回収ボックス７１のロック機構１１６ｂが開錠対象となる。紙幣詰まりの解消作業のための開錠指示を受付けた際には、紙幣釣銭機１１０の前面パネル１９ａのロック機構１１６ａが開錠対象となる。
【００５２】
硬貨の回収指示を受付けた際には、硬貨釣銭機１２０のスライド部７２のロック機構１２６ｂが開錠対象となる。硬貨詰まりの解消作業のための開錠指示を受付けた際には、硬貨釣銭機１２０の前面パネル３９ａのロック機構１２６ａが開錠対象となる。
【００５３】
ロック制御部５５は、ランク読込部５２が読み込んだランク情報が「１」であれば、開錠対象のロック機構が有するソレノイドに通電して、開錠対象のロック機構を開錠する。一方、ロック制御部５５は、ランク読込部５２が読み込んだランク情報が「２」であれば、開錠対象として指示されたロック機構を開錠せず、施錠したままとする。
【００５４】
エラー出力部５６は、エラー発生時に、当該エラー内容をディスプレイ１１またはディスプレイ１５に表示し、オペレータにエラー発生を報知する。また、エラー出力部５６は、ＰＯＳ端末２にエラー内容を通知する。尚、エラー報知方法はこれに限定されず、ブザー出力、音声出力、外部へのエラー出力など、その他の出力方法を用いてもよい。外部のエラー出力先の例としては、ＰＯＳ端末２に接続されたストアコンピュータ等や監視装置を用いることができる。
【００５５】
ログ記録部５７は、釣銭機１における各種動作のログを、ＲＡＭ３３内の不揮発性メモリ領域に記録する。また、ログ記録部５７は、ＰＯＳ端末２から釣銭機１のロック機構の開錠を伴う業務にかかる指示（例えば、回収指示、貨幣詰まりの解消作業のための開錠指示）を受付けると、受付けた指示内容をログに記録する。これにより、指示直後に行われた開錠動作が、指示に伴っての開錠動作であることを分かり易くログに残すことができる。
【００５６】
次に、ＰＯＳ端末２について説明する。
【００５７】
図４は、ＰＯＳ端末２の機能構成例を示すブロック図である。図４に示すように、ＰＯＳ端末２は、ＣＰＵ、ＲＯＭ、ＲＡＭを有するコンピュータ構成の制御部４０を備えている。ＲＡＭは、その一部に、ＰＯＳ端末２の電源を切っても記憶内容が消失しない不揮発性メモリ領域を備えている。
【００５８】
制御部４０は、バス２２により、通信Ｉ／Ｆ２３と、接続Ｉ／Ｆ３４と、ＨＤＤ６０と、Ｉ／Ｏ機器制御部２４と接続している。Ｉ／Ｏ機器制御部２４は、各種インタフェースやバスラインにより、キーボード２５と、スキャナ２６と、店員用表示器２７と、タッチパネル２８と、客用表示器２９と、プリンタ２１とに接続している。
【００５９】
通信Ｉ／Ｆ２３は、ＬＡＮ（Local  Area  Network）等のネットワークを介してストアサーバ（不図示）などの上位機種と接続するためのインタフェースである。接続Ｉ／Ｆ３４は、釣銭機１と接続するためのインタフェースである。
【００６０】
ＨＤＤ６０は、ランク設定テーブル６１と、ログイン情報格納部６２と、商品マスタ６３と、売上ファイル６４とを格納している。
【００６１】
ランク設定テーブル６１は、各店員の店員コードと、その店員のランクを示すランク情報とを対応付けて設定したテーブルである。ログイン情報格納部６２は、ＰＯＳ端末２にログインしているオペレータのランク情報を格納しておくためのメモリ領域である。商品マスタ６３は、商品コードと、商品名、価格等の商品情報を対応付けたマスタファイルである。売上ファイル６４は、ＰＯＳ端末２が登録した売上データを格納するためのデータファイルである。
【００６２】
次に、ＰＯＳ端末２が実行するプログラムについて説明する。本実施形態のＰＯＳ端末２で実行されるプログラムは、ＨＤＤ６０等の記憶装置に予め組み込まれて提供される。但し、ＰＯＳ端末２で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００６３】
さらに、本実施形態のＰＯＳ端末２で実行されるプログラムを、インターネット等のネットワークに接続されたコンピュータ上に格納し、ネットワーク経由でダウンロードさせることにより提供するように構成しても良い。また、本実施形態のＰＯＳ端末２で実行されるプログラムをインターネット等のネットワーク経由で提供または配布するように構成しても良い。
【００６４】
図４に示すように、ＰＯＳ端末２が実行するプログラムは、入力受付部４１、登録部４２、指示出力部４３、ログ記録部４４、エラー出力部４５を含むモジュール構成となっている。実際のハードウェアとしては制御部４０のＣＰＵ（プロセッサ）がＨＤＤ６０からプログラムを読み出して実行することにより、上記各部を主記憶装置上にロードして各部の機能を実現する。
【００６５】
入力受付部４１は、キーボード２５、スキャナ２６、タッチパネル２８を介して入力された情報を受付ける。例えば、入力受付部４１は、ログイン時に店員コードの入力を受付ける。また、入力受付部４１は、キーボード２５を介して、客からの預り金の金額入力を受付ける。また、入力受付部４１は、接続Ｉ／Ｆ３４を介して接続されている釣銭機１から、釣銭機１が計上した入金額を受信する。また、入力受付部４１は、接続Ｉ／Ｆ３４を介して接続されている釣銭機１から、釣銭機１で発生したエラーを示したエラー情報等を受信する。
【００６６】
また、入力受付部４１は、オペレータから各種業務に関する指示を受付ける。例えば、入力受付部４１は、紙幣詰まりが発生した際には、紙幣釣銭機１１０の前面パネル１９ａのロック機構１１６ａを開錠する開錠指示を受付ける。また、入力受付部４１は、硬貨詰まりが発生した際には、硬貨釣銭機１２０の前面パネル３９ａのロック機構１２６ａを開錠する開錠指示を受付ける。
【００６７】
また、入力受付部４１は、キーボード２５またはタッチパネル２８に設けられた貨幣回収キーが操作されると、釣銭機１内の貨幣を回収する旨の回収指示を受付ける。より詳細には、入力受付部４１は、紙幣回収キーが操作されると、紙幣釣銭機１１０内の紙幣を回収する旨の紙幣回収指示を受付ける。また、入力受付部４１は、硬貨回収キーが操作されると、硬貨釣銭機１２０内の硬貨を回収する旨の硬貨回収指示を受付ける。
【００６８】
登録部４２は、ログイン時に店員コードが入力されると、当該店員コードに対応するランク情報をランク設定テーブル６１から読み込む。そして登録部４２は、読み込んだランク情報を、現在ログインしているユーザのランク情報としてログイン情報格納部６２に設定する。
【００６９】
また、登録部４２は、商品の売上データを売上ファイル６４に登録する処理を制御する。例えば売上データには、商品名、単価、個数、小計、合計金額、客からの預り金額、釣り金額等の情報が含まれる。また、登録部４２は、合計金額から預り金額を減算して釣り金額を算出する。
【００７０】
指示出力部４３は、登録部４２が算出した釣り金額を出金させるための出金指示（出金コマンド）を、釣銭機１に出力する。また、指示出力部４３は、入力受付部４１が受付けた各種操作に応じて、釣銭機１に各種指示を出力する。例えば、入力受付部４１が上述のように貨幣の回収指示を受付けると、指示出力部４３は紙幣釣銭機１１０または硬貨釣銭機１２０に対して貨幣の回収指示を出力する。また、指示出力部４３は釣銭機１に対して、釣銭機１の貨幣詰まりを解消するために開錠が必要なロック機構を開錠する指示（開錠指示）を出力する。
【００７１】
ログ記録部４４は、ＰＯＳ端末２における各種動作のログを、ＨＤＤ６０に記録する。
【００７２】
エラー出力部４５は、各種エラー出力を制御する。エラー出力は例えば、店員用表示器２７にエラーメッセージを表示したり、音声出力によりエラー内容を報知したりすればよい。その他にも、ブザー音を動作させたり、ＬＥＤ（Light  Emitting  Diode）を発光させたりしてもよい。
【００７３】
次に、入出金システム１００の動作例について説明する。まず、図５を用いて、ＰＯＳ端末２がログインユーザのランク情報をログイン情報格納部６２に設定する際の手順例を説明する。
【００７４】
図５は、入出金システム１００が実行する商品登録処理の手順例を示すフローチャートである。ＰＯＳ端末２の操作を開始する際に、オペレータとなる店員はＩＤカードに付されたコードシンボルをスキャナ２６で読み取る。尚、ＩＤカードのコードシンボルには、当該店員の店員コードがエンコードされている。ＰＯＳ端末２の入力受付部４１は、スキャナ２６が読み取ったコードシンボルをデコードして店員コードを読み取り、その入力を受付ける（ステップＳ１）。次に、登録部４２は、ランク設定テーブル６１を参照して、ステップＳ１で受付けた店員コードのランク情報を読み込み、ログイン情報格納部６２に格納する（ステップＳ２）。これにより、ログイン情報格納部６２には、現在ＰＯＳ端末２にログインしているオペレータのランク情報が登録される。
【００７５】
次に、ＰＯＳ端末２の登録部４２は、商品の売上データを売上ファイル６４に登録する商品登録処理を行う（ステップＳ３）。即ち、入力受付部４１がスキャナ２６等の入力装置を介して受付けた商品コードに対応する商品情報（商品名、価格等）を、商品マスタ６３から読み込む。そして、キーボード２５において現計キーが操作されると、登録部４２は商品の合計金額を計算し、店員用表示器２７および客用表示器２９に表示する。店員は、客からの預り金を受け取ると、紙幣を紙幣釣銭機１１０の入金口１３に差し込み、硬貨を硬貨釣銭機１２０の入金口１７に投入する。紙幣釣銭機１１０の入金センサ１３１または硬貨釣銭機１２０の入金センサ１４１が貨幣を検出すると、釣銭機１は入金処理（ステップＳ１１）を開始する。
【００７６】
即ち、紙幣釣銭機１１０の入金機構１１１は、入金口１３に差し込まれた紙幣を搬送経路内に送り込む。選別機構１１２は、識別センサ１３２による識別結果に応じて、各金種の紙幣を選別し、紙幣収納部１１３に金種ごとに分別して収納する。硬貨釣銭機１２０の入金機構１２１は、入金口１７に投入された硬貨を搬送経路内に送り込む。選別機構１２２は、識別センサ１４２による識別結果に応じて、各金種の硬貨を選別し、硬貨収納部１２３に金種ごとに分別して収納する（ステップＳ１１）。
【００７７】
そして、釣銭機１の入金制御部５３は、収納センサ１３３、１４３が計上した貨幣枚数およびその金種に基づいて、釣銭機１に入金された合計額を計上し、当該合計額をＰＯＳ端末２に通知する（ステップＳ１２）。ＰＯＳ端末２の登録部４２は、通知された合計金額、即ち客からの預り金額から、商品の合計金額を減算して、客への釣り金額を算出する（ステップＳ４）。そして指示出力部４３は、釣り金額の出金指示を釣銭機１に対して出力する（ステップＳ５）。釣銭機１は出金指示に応じて、出金処理（ステップＳ１３）を開始する。
【００７８】
即ち、釣銭機１の出金制御部５４は、ＰＯＳ端末２の出金指示に基づいて、紙幣釣銭機１１０による金種ごとの払い出し枚数、および、硬貨釣銭機１２０による金種ごとの払い出し枚数を算出する。払出機構１１４は、指示枚数分の紙幣を紙幣収納部１１３から搬送経路に払い出す。出金機構１１５は、搬送機構（不図示）が出金口１４近傍まで搬送した紙幣を出金口１４へと送り出す。また、払出機構１２４は、指示枚数分の硬貨を硬貨収納部１２３から搬送経路に払い出す。出金機構１２５は、搬送機構（不図示）が出金口１８近傍まで搬送した硬貨を出金口１８へと送り出す（ステップＳ１３）。
【００７９】
一方、ＰＯＳ端末２の登録部４２は、プリンタ２１によりレシートを発行する（ステップＳ６）。店員は、出金口１４、１８に送り出された釣り金額分の貨幣と、レシートとを客に手渡して、その取引の精算を終了する。ＰＯＳ端末２の入力受付部４１は、キーボード２５又はタッチパネル２８からオペレータを変更する操作を受付けたか判定する（ステップＳ７）。オペレータ変更の操作を受付けた場合には（ステップＳ７：Ｙｅｓ）、ステップＳ１に移行する。
【００８０】
オペレータ変更の操作を受付けなければ（ステップＳ７：Ｎｏ）、ステップＳ８に移行する。入力受付部４１は、スキャナ２６が商品のコードシンボルを読み取って、次の取引が開始されたか判定する（ステップＳ８）。次の取引が開始された場合には（ステップＳ８：Ｙｅｓ）、ステップＳ３に移行する。次の取引が開始されなければ（ステップＳ８：Ｎｏ）、処理を終了する。
【００８１】
次に、入出金システム１００が実行する貨幣回収処理と、当該処理における釣銭機１のロック開錠の動作例について、図６および図７を用いて説明する。
【００８２】
図６および図７は、入出金システム１００が実行する貨幣回収処理の手順例を示すフローチャートである。
【００８３】
ＰＯＳ端末２において、キーボード２５或いはタッチパネル２８において回収キーが選択操作されると、その操作に応じて指示出力部４３は、貨幣（紙幣または硬貨）の回収指示を釣銭機１に出力する（ステップＳ２１）。また、ＰＯＳ端末２のログ記録部４４は、回収指示を出力した日時、ログインしているオペレータの店員コード、回収対象の貨幣種類（紙幣または硬貨）等をログに記録する（ステップＳ２２）。
【００８４】
釣銭機１は回収指示を受付けると（ステップＳ２１）、ＰＯＳ端末２のログイン情報格納部６２からログインユーザのランク情報を読み込む（ステップＳ３１）。ロック制御部５５は、ステップＳ３１で読み込んだランク情報が「１」であれば、開錠対象とするロック機構（回収ボックス７１のロック機構１１６ｂ、または、スライド部７２のロック機構１２６ｂ）を開錠可能であると判定する（ステップＳ３２：Ｙｅｓ）。一方、ステップＳ３１で読み込んだランク情報が「２」であれば、当該ロック機構を開錠できないと判定する（ステップＳ３２：Ｎｏ）。
【００８５】
そして、ステップＳ３２：Ｙｅｓであれば、ロック制御部５５は、回収対象の貨幣種類に応じて、ロック機構１１６ｂまたはロック機構１２６ｂを開錠する（ステップＳ３３）。また、ログ記録部５７は、回収処理のログとして、ＰＯＳ端末２から受けた回収指示の内容、解除したロック機構を示した情報、ＰＯＳ端末２のログインユーザのランク情報等を記録する（ステップＳ３４）。
【００８６】
尚、紙幣の回収においては、ロック機構１１６ｂの開錠の前に、紙幣釣銭機１１０が、回収分の紙幣を紙幣収納部１１３から回収ボックス７１に回収する。即ち、紙幣釣銭機１１０は、紙幣収納部１１３、払出機構１１４を制御して、回収対象の金種の紙幣を指示枚数分、紙幣収納部１１３から払い出し、搬送機構（不図示）により回収ボックス７１内に移動させる。そして、紙幣の移動後に、回収ボックス７１のロック機構１１６ｂを開錠する。店員は、回収ボックス７１をバックヤード等まで持ち運び、回収ボックス７１内の紙幣を回収する。そして店員が、空にした回収ボックス７１を筐体１９の収納部に嵌め込んで収納すると、ロック機構１１６ｂが自動で施錠される。
【００８７】
硬貨の回収については、スライド部７２のロック機構１２６ｂを解除した後に、店員はスライド部７２を手前側に完全に引き出して、スライド部７２に硬貨回収袋を取り付ける。そして店員は、硬貨釣銭機１２０の回収キーまたは払い出しキー（ＰＯＳ端末２からの指示を再度受付けてもよい）を操作する。硬貨釣銭機１２０は、硬貨収納部１２３、払出機構１２４、出金機構１２５を制御して、回収対象の金種の硬貨を指示枚数分、硬貨収納部１２３から出金口１８に払い出す。出金口１８から払い出された硬貨は硬貨回収袋に投入される。店員はこの回収袋をスライド部７２から取り外して、バックヤード等まで持ち運び、回収袋内の硬貨を回収する。また、店員は回収袋をスライド部７２から外した後、スライド部７２を筐体３９内に押し込んで収納する。スライド部７２が筐体３９の収納部に嵌めこまれると、ロック機構１２６ｂが自動で施錠される。
【００８８】
ロック制御部５５は、開錠した箇所のロック機構が施錠されたか否かを判定する（ステップＳ３５）。例えば回収ボックス７１が筐体１９内の収納部（不図示）に収納されると、ロック機構１１６ｂのロックピンが押し込まれて、ロック機構１１６ｂが施錠状態となる。施錠の検出については、ロックピンが係合する箇所に光センサやマイクロスイッチ等による検出部を設けておけばよい。そして、ロックピンがロックされると当該検出部が施錠状態となったことを検出すればよい。
【００８９】
施錠されたことが検出されない間は（ステップＳ３５：Ｎｏ）、待機する。施錠されたことが検出されると（ステップＳ３５：Ｙｅｓ）、ログ記録部５７は施錠したことをログに記録する（ステップＳ３６）。
【００９０】
一方、ステップＳ３２：Ｎｏであれば、ロック制御部５５はいずれのロック機構も開錠せず、ＰＯＳ端末２にエラーを通知する（図７のステップＳ５１）。また、釣銭機１のエラー出力部５６は、ディスプレイ１１またはディスプレイ１５においてエラー表示を出力する。
【００９１】
ＰＯＳ端末２のエラー出力部４５は、ブザー音を出力するとともに、店員用表示器２７にエラーメッセージを表示し、エラー報知する（図７のステップＳ４１）。エラーメッセージとしては、「回収業務を行う権限のオペレータがログインし直してください」等のメッセージを用いればよい。
【００９２】
ＰＯＳ端末２のログ記録部４４は、エラー日時、エラー時のログインユーザの店員コード、ランク情報等をログに記録する（ステップＳ４２）。そして、入力受付部４１は、ログインユーザが変更されて、変更後のログインユーザの店員コードを受付けると（ステップＳ４３：Ｙｅｓ）、ステップＳ４４に移行する。変更を受付けない場合、または、変更後の店員コードを受け付けない間（ステップＳ４３：Ｎｏ）は、ステップＳ４３で入力を待つ。
【００９３】
登録部４２は、ステップＳ４３で受付けた店員コードのランク情報を、ランク設定テーブル６１から読み込む。そして登録部４２は、読み込んだランク情報により、ログイン情報格納部６２に設定されているランク情報を書き換えて更新する。その後、指示出力部４３は、再度、釣銭機１に貨幣の回収指示を出力するとともに、新たに設定されたランク情報を通知する（ステップＳ４４）。その後、ログ記録部４４は、出力した回収指示について、ログインユーザの店員コード、ランク情報とともにログを記録する（ステップＳ４５）。
【００９４】
釣銭機１のランク読込部５２は、ＰＯＳ端末２から通知されたランク情報を受信する（ステップＳ４４）。ロック制御部５５は、受信したランク情報が「１」であれば、開錠対象とするロック機構を開錠可能であると判定する（ステップＳ５２：Ｙｅｓ）。一方、ステップＳ４４で受信したランク情報が「２」であれば、当該ロック機構を開錠できないと判定する（ステップＳ５２：Ｎｏ）。ステップＳ５２：Ｎｏであれば、ステップＳ５１に移行する。
【００９５】
ステップＳ５２：Ｙｅｓであれば、ロック制御部５５は、回収対象の貨幣種類に応じて、ロック機構１１６ｂまたはロック機構１２６ｂを開錠する（ステップＳ５３）。釣銭機１が行う回収処理については上述と同様である。ログ記録部５７は、回収指示に伴う開錠を実施したことをログに記録する（ステップＳ５４）。記録内容はステップＳ３４で上述した内容と同様とすればよい。ステップＳ５４の処理が終わると、図６のステップＳ３５の判定に移行する。
【００９６】
次に、入出金システム１００が実行する貨幣詰まり解消処理と、当該処理における釣銭機１のロック開錠の動作例について、図８を用いて説明する。
【００９７】
図８は、入出金システム１００が実行する貨幣詰まり解消処理の手順例を示すフローチャートである。
【００９８】
釣銭機１が貨幣詰まりを検出すると（ステップＳ７１）、エラー出力部５６は、詰まりを起こした貨幣種類に応じて、紙幣釣銭機１１０のディスプレイ１１または硬貨釣銭機１２０のディスプレイ１５に、貨幣詰まりを報知するエラー表示を行う。また、エラー出力部５６は、紙幣釣銭機１１０または硬貨釣銭機１２０において貨幣詰まりが発生したことを示すエラー内容をＰＯＳ端末２に通知する（ステップＳ７２）。
【００９９】
尚、エラー出力部５６は、エラー内容として、貨幣詰まりが発生した釣銭機（紙幣釣銭機１１０または硬貨釣銭機１２０）、当該釣銭機内において貨幣詰まりが発生した箇所を示す情報などを通知する。エラー出力部５６は、貨幣詰まりを解消するために開錠する必要があるロック機構を判別した上で、当該ロック機構を示す情報をＰＯＳ端末２に通知してもよい。
【０１００】
ＰＯＳ端末２のエラー出力部４５は、店員用表示器２７にエラーメッセージあるいはつまり箇所をイラスト等で示したエラー画面を表示し、エラー内容をオペレータに報知する（ステップＳ６１）。例えば、エラー出力部４５は、「エラー：硬貨詰まり  前面パネルを開錠してください」等のエラーメッセージを店員用表示器２７にポップアップ表示すればよい。
【０１０１】
入力受付部４１は、ＰＯＳ端末２のキーボード２５あるいはタッチパネル２８に設けられたロック開錠キーを介して、開錠対象とするロック機構の開錠指示を受付ける。例えば、紙幣詰まりであれば、紙幣釣銭機１１０の前面パネル１９ａのロック機構１１６ａが開錠対象となる。また、硬貨詰まりであれば、硬貨釣銭機１２０の前面パネル３９ａのロック機構１２６ａが開錠対象となる。
【０１０２】
尚、上述のようにポップアップ画面を表示するのであれば、そのメッセージボックス内に「開錠」或いは「詰まり解消作業を行う」等と表示した操作子を設けてもよい。そして入力受付部４１は、タッチパネル２８から当該操作子に対する操作を介して、開錠指示を受付けてもよい。
【０１０３】
ＰＯＳ端末２の指示出力部４３は、開錠対象とするロック機構を指定した上で、当該ロック機構の開錠指示を釣銭機１に出力する（ステップＳ６２）。ログ記録部４４は、開錠指示の内容、指示の出力日時、ログインオペレータの店員コードおよびランク情報をログに記録する（ステップＳ６３）。
【０１０４】
尚、ここではＰＯＳ端末２が開錠対象のロック機構を指定するとしたが、実施形態はこれに限定されない。上述のように釣銭機１が開錠対象のロック機構を判別するのであれば、ここで開錠対象とするロック機構を指定する必要はない。指示出力部４３は、単に通知されたロック機構に対して開錠指示を出力すればよい。
【０１０５】
釣銭機１のランク読込部５２は、ＰＯＳ端末２から開錠指示を受信すると（ステップＳ６２）、ＰＯＳ端末２のログイン情報格納部６２からログインユーザのランク情報を読み込む（ステップＳ７３）。ロック制御部５５は、読み込んだランク情報が「１」であれば、開錠対象とするロック機構（紙幣釣銭機１１０の前面パネル１９ａのロック機構１１６ａ、または、硬貨釣銭機１２０の前面パネル３９ａのロック機構１２６ａ）を開錠可能であると判定する（ステップＳ７４：Ｙｅｓ）。一方、ランク情報が「２」であれば、当該ロック機構を開錠できないと判定する（ステップＳ７４：Ｎｏ）。
【０１０６】
そして、ステップＳ７４：Ｙｅｓであれば、ロック制御部５５は、詰まり箇所に応じて、ロック機構１１６ａ、または、ロック機構１２６ａを開錠する（ステップＳ７５）。ログ記録部５７は、貨幣詰まり解消作業に伴う開錠動作をログに記録する（ステップＳ７６）。ログ記録部５７は、ログ内容として、ＰＯＳ端末２から受けた指示内容、解除したロック機構を示した情報、ＰＯＳ端末２のログインユーザのランク情報等を記録する。
【０１０７】
ロック制御部５５は、開錠した箇所のロック機構が施錠されたか否かを判定する（ステップＳ７７）。例えば、紙幣釣銭機１１０の前面パネル１９ａが、筐体１９の収納部（不図示）に嵌め込まれると、ロックピンが押し込まれてロック機構１１６ａが施錠状態となる。施錠されたことが検出されなければ（ステップＳ７７：Ｎｏ）、貨幣詰まりの解消作業が続行している状態であるから、待機する（ステップＳ７７）。施錠されたことが検出されると（ステップＳ７７：Ｙｅｓ）、ログ記録部５７は施錠の動作をログに記録する。また、エラー出力部５６は、貨幣詰まりが解消したか否かを判定する（ステップＳ７８）。
【０１０８】
貨幣詰まりが解消していなければ（ステップＳ７８：Ｎｏ）、ステップＳ７１に戻る。貨幣詰まりが解消していれば（ステップＳ７８：Ｙｅｓ）、エラー出力部５６は、貨幣詰まりが解消したことをＰＯＳ端末２に通知する（ステップＳ７９）。ログ記録部５７は、貨幣詰まりが解消したことをログに記録する。ＰＯＳ端末２のログ記録部４４は、エラーの解除、即ち、貨幣詰まりが解消したことをログに記録する（ステップＳ６４）。
【０１０９】
一方、ステップＳ７４：Ｎｏであれば、ロック制御部５５はいずれのロック機構も開錠せず、図７のステップＳ５１以降で上述した手順と同様の手順を踏んで、エラー処理を行う。尚、ステップＳ４５、Ｓ５４の後、図８のステップＳ７７の判定に移行すればよい。
【０１１０】
以上説明した通り、本実施形態の釣銭機１は、ＰＯＳ端末２から開錠を伴う業務にかかる指示を受付けると、当該ＰＯＳ端末２にログインしているオペレータのランクに応じて、開錠対象とするロック機構を開錠する。即ち、本実施形態においては、ＰＯＳ端末２からの各種業務の指示に追随してロック機構を開錠できるので、指示の後、鍵を用いて開錠する手間を省くことができる。また、鍵を必要としないので、鍵を管理する手間を省くことができる。そしてこのように貨幣の回収作業や貨幣詰まりの解消作業における利便性を向上する際にも、権限を有する店員が鍵を管理していた際と同様のセキュリティを確保することができる。
【０１１１】
また、本実施形態の釣銭機１は、ＰＯＳ端末２から受付けた回収指示や、貨幣詰まり時の解除指示、そして、開錠動作についてログを残す。従って、回収時の開錠、出金についてはそれが回収作業であることを識別でき、詰まり解消作業の開錠についてはそれがエラー発生時の開錠であることを識別できる。このように本実施形態の釣銭機１は、開錠動作時の状況を分かり易くログに残すものである。
【０１１２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１１３】
例えば、上述では、従来設けられていた鍵穴および鍵を用いたロック機構を釣銭機１に設けない形態について説明したが、実施形態はこれに限定されない。従来の釣銭機に設けられていた鍵穴およびロック機構を流用して、ＰＯＳ端末２においてログインしているユーザのランクに応じて鍵による開錠を可能としたり不可能としたりする形態としてもよい。このような場合にも、上述と同様に開錠する際のセキュリティを向上させることができる。
【０１１４】
また、上述では、ランクを単純に２段階に分け、各ロック機構を開錠できる権限を有する店員について「１」、いずれのロック機構も開錠できない店員は「２」と設定したが、ランク情報の設定方法はこれに限定されない。
【０１１５】
例えば、前面パネル１９ａ、３９ａを取り外しても、奥側の収納庫に容易にアクセスできないようパネルやロック機構が多段階に設けられている釣銭機もある。このような釣銭機においては、手前側（外側）のロック機構を開錠できるランクと、より奥側（内部側）のロック機構まで開錠できるランクとを設けて、開錠できる権限を段階的に設定してもよい。ランク「３」として、外側のロック機構、すなわち収納庫から遠い側のロック機構を開錠できるが、内側のロック機構、すなわち収納庫に近い側のロック機構は開錠できないランクを設ける。そして、ロック制御部５５は、ランク情報が「３」であれば、外側のロック機構は開錠するが、内側のロック機構は施錠したままとする。これにより、ランク「３」のオペレータは、入出金口近傍の貨幣詰まりは自分で対処することができ、ランク「１」のオペレータを呼ばずに作業を開始することができる。
【０１１６】
また、貨幣詰まりの解消作業に伴うロック機構の開錠は許容するが、貨幣の回収作業に伴うロック機構の開錠は許容しないランクを設けて、一般の店員をこのランクに設定するなどしてもよい。
【０１１７】
また、ロック機構１１６ａ、１１６ｂ、１２６ａ、１２６ｂと同様の開錠制御を、上述したコイントレー１３０のロック機構（不図示）に適用してもよい。
【０１１８】
また、上述では、釣銭機１のログ記録部５７が、ＰＯＳ端末２から受付けた指示内容とともにオペレータのランク情報を記録するとしたが、オペレータに関するその他の情報を読み込んで記録してもよい。例えば、ログ記録部５７は、オペレータの店員コードや、氏名をログに残してもよい。
【符号の説明】
【０１１９】
１…釣銭機、２…ＰＯＳ端末、５１…入力受付部、５２…ランク読込部、５３…入金制御部、５４…出金制御部、５５…ロック制御部、５６…エラー出力部、５７…ログ記録部、６１…ランク設定テーブル、６２…ログイン情報格納部、１００…入出金システム、１１０…紙幣釣銭機、１２０…硬貨釣銭機、１９ａ、３９ａ…前面パネル、７１…回収ボックス、７２…スライド部、１１６ａ、１１６ｂ、１２６ａ、１２６ｂ、…ロック機構。
【先行技術文献】
【特許文献】
【０１２０】
【特許文献１】特許第５６２０４２２号公報
【図１】
2018018532.tif 000003
【図２】
2018018532.tif 000004
【図３】
2018018532.tif 000005
【図４】
2018018532.tif 000006
【図５】
2018018532.tif 000007
【図６】
2018018532.tif 000008
【図７】
2018018532.tif 000009
【図８】
2018018532.tif 000010
【手続補正書】
【提出日】平成29年9月21日(2017.9.21)
【手続補正１】
【補正対象書類名】特許請求の範囲
【補正対象項目名】全文
【補正方法】変更
【補正の内容】
【特許請求の範囲】
【請求項１】
販売データ処理装置と、当該販売データ処理装置と接続された金銭処理装置とを備える入出金システムであって、
前記金銭処理装置は、
貨幣を収納する収納庫と、
前記収納庫を開錠または施錠するロック機構と、
前記販売データ処理装置から、前記ロック機構の開錠を伴う業務にかかる指示を受信する指示受信手段と、
前記販売データ処理装置から、当該販売データ処理装置にログインしているオペレータの権限を示す権限情報を受信する情報受信手段と、
前記情報受信手段が受信した前記権限情報が、前記ロック機構を開錠することができる権限を示す権限情報であれば、前記業務において開錠すべき箇所のロック機構を開錠し、前記情報受信手段が受信した前記権限情報が、前記ロック機構を開錠することができる権限の権限情報でなければ、前記ロック機構を開錠しないロック制御手段と、を備え、
前記販売データ処理装置は、
前記金銭処理装置に対し、前記ロック機構の開錠を伴う業務にかかる指示を受付ける指示受付手段と、
前記指示を受付けると、前記ロック機構を開錠する指示と、前記権限情報とを前記金銭処理装置に送信する送信手段と、
を備えた入出金システム。
【請求項２】
前記販売データ処理装置の前記送信手段は、前記権限情報として、前記販売データ処理装置にログインしているオペレータのランクを示すランク情報を、前記金銭処理装置に送信し、
前記金銭処理装置において、
前記情報受信手段は、前記販売データ処理装置から前記ランク情報を受信し、
前記ロック制御手段は、前記情報受信手段が受信した前記ランク情報が、前記ロック機構を開錠することができるランクを示すランク情報であれば、前記業務において開錠すべき箇所のロック機構を開錠し、前記情報受信手段が受信した前記ランク情報が、前記ロック機構を開錠することができるランクのランク情報でなければ、前記ロック機構を開錠しない、請求項１に記載の入出金システム。
【請求項３】
前記販売データ処理装置において、
前記指示受付手段は、前記収納庫内の貨幣を回収するための回収指示を受付けて、
前記送信手段は、前記回収指示の受付時に、前記販売データ処理装置にログインしているオペレータの前記ランク情報を送信し、
前記金銭処理装置において、
前記ロック制御手段は、前記情報受信手段が受信した前記ランク情報が前記収納庫を開錠することができるランクのランク情報であれば、前記ロック機構を開錠して前記収納庫内の貨幣を回収可能とする、請求項２に記載の入出金システム。
【請求項４】
前記金銭処理装置は、
貨幣詰まりを検出した際に、貨幣詰まりを検出した箇所、または、複数の前記ロック機構のうち貨幣詰まりを解消するために開錠対象とする前記ロック機構の箇所を前記販売データ処理装置に通知する通知手段と、
前記販売データ処理装置から、前記通知手段による通知内容に基づいて開錠対象とされた前記ロック機構の開錠指示を受付ける開錠指示受付手段と、を更に備え、
前記情報受信手段は、前記開錠指示の受付時に、前記販売データ処理装置にログインしているオペレータの前記ランク情報を前記販売データ処理装置から受信し、
前記ロック制御手段は、前記情報受信手段が受信した前記ランク情報が、開錠対象の前記ロック機構を開錠することができるランクのランク情報であれば、前記開錠対象のロック機構を開錠して、貨幣詰まりを解消する作業を可能とする、請求項２または３に記載の入出金システム。
【請求項５】
前記金銭処理装置は、
前記収納庫を多段階に施錠する複数のロック機構を備え、
前記ロック制御手段は、前記情報受信手段が受信した前記ランク情報が、前記複数のロック機構のうち前記収納庫から遠い側のロック機構を開錠できるが、前記収納庫に近い側のロック機構を開錠できないランクのランク情報であれば、前記収納庫に近い側のロック機構は開錠せず、前記収納庫から遠い側のロック機構を開錠する、請求項２ないし４のいずれか１つに記載の入出金システム。
【請求項６】
前記金銭処理装置は、前記販売データ処理装置から前記ロック機構の開錠を伴う業務にかかる指示を受付けると、当該指示にかかる情報をログに記録するログ記録手段を更に備えた、請求項１ないし５のいずれか１つに記載の入出金システム。
【請求項７】
貨幣を収納する収納庫と、
前記収納庫を開錠または施錠するロック機構と、
自装置と接続された販売データ処理装置から、前記ロック機構の開錠を伴う業務にかかる指示を受信する指示受信手段と、
前記販売データ処理装置から、当該販売データ処理装置にログインしているオペレータの権限を示す権限情報を受信する情報受信手段と、
前記情報受信手段が受信した前記権限情報が、前記ロック機構を開錠することができる権限を示す権限情報であれば、前記業務において開錠すべき箇所のロック機構を開錠し、前記情報受信手段が受信した前記権限情報が、前記ロック機構を開錠することができる権限の権限情報でなければ、前記ロック機構を開錠しないロック制御手段と、
を備えた金銭処理装置。
【手続補正３】
【補正対象書類名】明細書
【補正対象項目名】０００１
【補正方法】変更
【補正の内容】
【０００１】
本発明の実施形態は、入出金システムおよび金銭処理装置に関する。
【手続補正４】
【補正対象書類名】明細書
【補正対象項目名】０００５
【補正方法】変更
【補正の内容】
【０００５】
実施形態の入出金システムは、販売データ処理装置と、当該販売データ処理装置と接続された金銭処理装置とを備える。前記金銭処理装置は、貨幣を収納する収納庫と、前記収納庫を開錠または施錠するロック機構と、指示受信手段と、情報受信手段と、ロック制御手段とを備える。指示受信手段は、前記販売データ処理装置から、前記ロック機構の開錠を伴う業務にかかる指示を受信する。情報受信手段は、前記販売データ処理装置から、当該販売データ処理装置にログインしているオペレータの権限を示す権限情報を受信する。ロック制御手段は、前記情報受信手段が受信した前記権限情報が、前記ロック機構を開錠することができる権限を示す権限情報であれば、前記業務において開錠すべき箇所のロック機構を開錠し、前記情報受信手段が受信した前記権限情報が、前記ロック機構を開錠することができる権限の権限情報でなければ、前記ロック機構を開錠しない。前記販売データ処理装置は、前記金銭処理装置に対し、前記ロック機構の開錠を伴う業務にかかる指示を受付ける指示受付手段と、前記指示を受付けると、前記ロック機構を開錠する指示と、前記権限情報とを前記金銭処理装置に送信する送信手段と、を備える。